(57)【要約】【課題】マークシートやバーコード付きの原稿やＯＣＲシートを読み取る場合の処理時間を短縮し、さらに文字情報の誤った読み取りを低減することを目的とする。【解決手段】原稿を読み取り画像信号を生成する画像読取手段１０７と、読み取り解像度を指定する制御部１０１と、画像読取手段１０７により読み取られた画像信号に所定の画像処理を行い、画像データを生成する画像処理部１０８とを備える画像読取装置において、指定した解像度により前記画像読取手段１０７により原稿の読み込みを行い画像処理部１０８により画像処理を実行させる第１のモードと、複数枚の原稿のうち、一枚目の原稿を予め設定した第１の解像度で読み込みを行うと共に、二枚目以降の原稿を予め設定した前記第１の解像度より低い第２の低解像度で読み込みを行い画像処理部１０８により画像処理を実行させる第２のモードと、を実行可能な制御部１０１を備える。【選択図】図１
2007295196.tif 000002
【特許請求の範囲】
【請求項１】
原稿を読み取り画像信号を生成する画像読取手段と、読み取り解像度を指定する解像度指定手段と、前記画像読取手段により読み取られた画像信号に所定の画像処理を行い、画像データを生成する画像処理手段と、を備えた画像読取装置において、
指定した解像度により前記画像読取手段により原稿の読み込みを行い前記画像処理手段により画像処理を実行させる第１のモードと、複数枚の原稿のうち、一枚目の原稿を予め設定した第１の解像度で読み込みを行うと共に、二枚目以降の原稿を予め設定した前記第１の解像度より低い第２の低解像度で読み込みを行い前記画像処理手段により画像処理を実行させる第２のモードと、を実行可能な制御手段を備えたことを特徴とする画像読取装置。
【請求項２】
前記原稿は、マークシートやバーコードを有する原稿、又はＯＣＲシートであり、送信処理内容や送信設定、送信先の情報が記録されていることを特徴とする請求項１に記載の画像読取装置。
【請求項３】
前記原稿のバーコード又はマークシートの位置及びサイズ、或いは前記バーコード又はマークシートに記録されている情報を設定する設定手段を備えていることを特徴とする請求項１又は２に記載の画像読取装置。
【請求項４】
前記原稿により指定される送信処理内容は、ＦＡＸ送信先、又は電子メールのアドレス、又はパソコンのフォルダへの転送などであり、その処理の設定を自動で行えることを特徴とする請求項１乃至３の何れか１項に記載の画像読取装置。
【請求項５】
前記制御手段は、ＦＡＸ送信、電子メール送信、及びパソコンのフォルダに転送する場合に送信先の設定を自動で行えることを特徴とする請求項１乃至４の何れか１項に記載の画像読取装置。
【発明の詳細な説明】
【技術分野】
【０００１】
本発明は画像読取装置に関わり、特に原稿を読み取り画像信号を生成する画像読取部と、読み取り解像度を指定する解像度指定手段と、前記読み取り手段により読み取られた画像信号に所定の処理を行い、画像データを生成する画像処理手段を有する画像読取装置から複数ページの原稿の一枚目にマークシートやバーコードのある原稿や、ＯＣＲシートを読み込ませ、このマークシート又はバーコード、ＯＣＲシートの情報に基づいてＦＡＸ送信や電子メール送信、ＰＣ送信する時の処理設定と送信先設定の制御に関するものである。
【背景技術】
【０００２】
従来の画像読取装置では、ＦＡＸ送信や電子メール送信、パソコンに画像データを送る等の処理を行いたい場合には、１回の送信処理にそれぞれ処理設定や送信先の設定が必要である。さらに画像を読み込むときは、解像度、読み込みサイズなどを指定し、これに従い原稿を読み取り画像データを生成するようにしていた。
特許文献１には、専用読み取りモードの設定キー等を設け、専用読み取りモードの場合は、専用原稿を所定の解像度で、所定の範囲のみ画像処理、所定の範囲だけを読み取るようにして、専用原稿の読み取り時間を短縮するようにしたスキャナ装置が開示されている。
【特許文献１】特開２００２−３５４２１２公報
【発明の開示】
【発明が解決しようとする課題】
【０００３】
しかしながら、従来の画像読取装置では、このようなマークシートの指示に従って読み取り設定（解像度、画像処理）を決定したり、属性や識別情報を付与したりするときに、マークシートやバーコードのある原稿やＯＣＲシートと通常の原稿は同じ解像度、同じ読み取りサイズで読み取りを行っていた。マークシートやバーコードなどの情報やＯＣＲシートの文字情報は、低解像度で読み取って、且つ特別な画質向上の画像処理を施すことなく、単純に２値化するだけで充分役割を果たすものであり、逆に写真モードやカラーモードで読み取ると認識率が低下していた。特に、予め指定した書式のマークシートやバーコードやＯＣＲシートの記入箇所のある面積は全体の一部分であり、一枚目の原稿の部分的な箇所に集中しているので、一枚目の原稿全てに認識処理を行う必要はない。
【０００４】
一方、低解像度で読み取るよりも高解像度で読み取る方が、走査速度が低下することにより読み取り時間は長くかかるしデータ量が多くなる。つまり、全原稿を高解像度の読み取り指定された状態では、このようなマークシートやバーコードのある原稿やＯＣＲシート以外の原稿も無駄に読み取り時間を費やしデータ量が多くなっていた。
さらに逆の問題点としては、原稿を読み込む解像度の設定が低解像度過ぎることによりマークシートやバーコードが解読不能になる不具合や、先に述べた写真原稿読み込みなどのときに行われる中間調に対する画像処理を施すことによるマークシートやバーコード、ＯＣＲシートの文字情報が解読不能になる不具合がある。
【０００５】
また、特許文献１においては、ＦＡＸ送信やＰＣ送信、Ｅメール送信する時にその各処理設定や送信先の設定を行う煩わしさを考慮していない。
本発明は、上記したような点を鑑みてなされたものであり、マークシートやバーコード付きの原稿やＯＣＲシートを読み取る場合の処理時間を短縮して、全体の処理時間を少しでも短くし、さらにマークシートやバーコード、ＯＣＲシートの文字情報の誤った読み取りすること低減することと、さらにＦＡＸ送信やＰＣ送信、Ｅメール送信する際にその処理の設定を自動で行うことで面倒な設定をなくし誤設定などによる送信ミスを防ぐことを目的とする。
【課題を解決するための手段】
【０００６】
上記目的を達成するため、原稿を読み取り画像信号を生成する画像読取手段と、読み取り解像度を指定する解像度指定手段と、前記画像読取手段により読み取られた画像信号に所定の画像処理を行い、画像データを生成する画像処理手段と、を備える画像読取装置において、指定した解像度により前記画像読取手段により原稿の読み込みを行い前記画像処理手段により画像処理を実行させる第１のモードと、複数枚の原稿のうち、一枚目の原稿を予め設定した第１の解像度で読み込みを行うと共に、二枚目以降の原稿を予め設定した前記第１の解像度より低い第２の低解像度で読み込みを行い前記画像処理手段により画像処理を実行させる第２のモードと、を実行可能な制御手段を備えたことを特徴とする。
【０００７】
また、前記原稿は、マークシートやバーコードを有する原稿、又はＯＣＲシートであり、送信処理内容や送信設定、送信先の情報が記録されていることを特徴とする。
また前記原稿のバーコード又はマークシートの位置及びサイズ、或いは前記バーコード又はマークシートに記録されている情報を設定する設定手段を備えていることを特徴とする。
また、前記原稿により指定される送信処理内容は、ＦＡＸ送信先、又は電子メールのアドレス、又はパソコンのフォルダへの転送などであり、その処理の設定を自動で行えることを特徴とする。
また前記制御手段は、ＦＡＸ送信、電子メール送信、及びパソコンのフォルダに転送する場合に送信先の設定を自動で行えることを特徴とする。
【発明の効果】
【０００８】
本発明によれば、予め求めておいた適切な解像度及び画像処理を所定の読み取り設定として保持しておき、バーコードまたはＯＣＲの情報を読み取るときはこの所定の解像度及び所定の位置・範囲のみを認識処理で読み取ることにより、原稿に対して高解像度の読み取り設定で一枚目の原稿全体に認識処理がなされている場合より全体の処理時間を短縮することができる。また低解像度の読み取りが設定されている場合は、バーコードなどからの情報を誤って読み取りすることが少なくなる。さらに、全原稿を高解像度で読み込む場合より、データ量が軽減されることにより、画像転送時の無駄な通信コストまたは通信時間を削減することができる。
【発明を実施するための最良の形態】
【０００９】
図１は本発明の実施の形態に係る画像読取装置の構成を示したブロック図である。
この図１に示す画像読取装置１は、当該画像読取装置を制御する制御部１０１、プログラムや必要なデータを記憶しているＲＯＭ１０２、変更可能な設定データなどを記憶しているＲＡＭ１０３、各種操作キーと表示部からなる操作表示部１０４、原稿のサイズを検知する原稿サイズ検知手段１０５、ミラースキャンユニットを駆動するスキャンモータ駆動手段１０６、及びＣＣＤ（Charge Coupled Device）センサで原稿画像を読み取る画像読取手段１０７を備える。画像読取手段１０７の読み取り解像度は制御部１０１において指定できるように構成されている。また本実施の形態の画像読取装置は、画像読取手段１０７で読み取られた原稿画像のアナログ信号を適正なレンジの信号に増幅し、このアナログ信号をデジタル信号に変換し、ＣＣＤのバラツキをシェーディング補正し、このデジタル信号に誤差拡散処理、エッジ強調、平滑化処理、ガンマ補正など対象とするデータに応じて選択的に画像処理を行う画像処理部１０８を備える。また画像データをメモリへ書き込み、読み出しを行うときのアドレス生成手段や編集するときにアドレスを変換するアドレス変換手段や内部バッファからなるメモリ制御手段１０９、画像データをビットマップイメージとして保持するビットマップメモリ１１０、画像データの圧縮、伸長を行うＣＯＤＥＣ（COmpression/DECompression）１１１、画像データを記憶する画像メモリ１１２、ＬＡＮなどのネットワークケーブルにこれらの画像データを送信するための通信制御手段１１３、及びネットワークインターフェース１１４などを備えて構成される。
【００１０】
このように構成される本実施形態の画像読取装置では、所定の読み取り設定で全ての原稿を読み取る通常の読み取りモード（第１モード）の他に、一枚目の原稿については所定の読み取り範囲だけを読み取る読み取りモード（第２のモード）を設けるようにしている。第１のモードでは、画像読取手段１０７において指定した解像度で原稿の読み込みを行い、画像処理部１０８により画像処理を行い送信先に画像データを送信する。
一方、第２のモードでは、複数枚の原稿のうち、一枚目の原稿を予め設定した高解像度（第１の解像度）で読み込みを行うと共に、二枚目以降の原稿を予め設定した高解像度より低い解像度（第２の低解像度）で読み込みを行い画像処理部１０８により画像処理を行い、読み取った情報から各処理の設定を行い送信先に画像データを送信するようにしている。なお、本実施の形態の画像読取装置では、操作表示部１０４に所定の操作が行われることで制御部１０１が第１のモード又は第２のモードの何れかを実行するようにしている。また高解像度及び低解像度は適宜設定すれば良い。
また本実施の形態の画像読取装置では、第２のモードを実現するにために、一枚目の原稿のある範囲のみ認識処理するように予め登録しておく。原稿はＡ４サイズなどの良く使われる用紙サイズではあるが、情報が印刷、記入されている範囲は原稿全体の一部分である。このため、本実施の形態では、予め登録してある情報のある領域のみを認識処理するようにし、情報のない領域は認識処理を行わないようにしている。
【００１１】
以下、本実施形態の画像読取装置でバーコード付き原稿を読み取り、読み取った情報に基づき画像データを送信処理するときの動作を図２のフローチャートを用いて説明する。なお、以下に説明する処理は、制御部１０１がＲＯＭ１０２に記憶されているプログラムに基づいて実行するものである。
まず、スタートキーが押されたか否かの確認を行い（Ｓ１０１）、スタートキーが押されたと判別したら、ステップＳ１０２において、本発明の特徴的な処理である第２モードか否かの判別を行う。ここで、第２モードでないと判別した場合（Ｓ１０２でＮ）、通常の処理である第１モードであるとして、予め操作表示部１０４から指示された所定の読み取り設定で全ての原稿の読み取りを行い（Ｓ１１３）、予め設定された所定の処理を行い、送信処理を実行する（Ｓ１１４）。
【００１２】
一方、ステップＳ１０２において、第２モードであると判別した場合（Ｓ１０２でＹ）、まず所定の読み取り設定で一枚目の原稿を読み取り（Ｓ１０３）、所定の読み取り設定で二枚目以降の原稿を読み取る（Ｓ１０４）。次いで一枚目の原稿の解読し指示された処理を判別する（Ｓ１０５）。具体的には、まず一枚目の原稿の解読処理として、予め指定されている処理情報がバーコードにより格納されているバーコード位置にバーコード認識処理をかけて解読処理をする。
そして、上記ステップＳ１０５における解読処理において、送信処理がＦＡＸ送信モードか、メール送信モードか、またはＰＣ送信モードかを判別する（Ｓ１０６）。
【００１３】
ここで、ＦＡＸ送信モードと判別した場合は、予め画像読取装置に設定されたＦＡＸ設定のバーコード位置情報からその位置にバーコード認識処理をかけて解読し、ＦＡＸ送信に必要な設定情報を読み込み、送信処理設定と送信先設定を行い（Ｓ１０７）、ＦＡＸ設定完了後にＦＡＸ送信処理を実行する（Ｓ１０８）。
一方、メール送信モードと判別した場合は、予め画像読取装置に設定されたメール送信設定のバーコード位置情報からその位置にバーコード認識処理をかけて解読し、メール送信に必要な設定情報を読み込み、送信処理設定と送信先設定を行う（Ｓ１０９）。メール送信設定完了後にメール送信処理を実行する（Ｓ１１０）。
また、ＰＣ送信モードと判別した場合は、予め画像読取装置に設定されたＰＣ送信設定のバーコード位置情報からその位置にバーコード認識処理をかけて解読し、ＰＣ送信に必要な設定情報を読み込み、送信処理設定と送信先設定を行う（Ｓ１１１）。ＰＣ送信設定完了後にＰＣ送信処理を実行する（Ｓ１１２）。
【００１４】
このように本実施の形態の画像読取装置においては、予め求めておいた適切な解像度及び画像処理を所定の読み取り設定として保持しておき、バーコードまたはＯＣＲの情報を読み取るときはこの所定の解像度及び所定の位置・範囲のみを認識処理で読み取ることにより、原稿に対して高解像度の読み取り設定で一枚目の原稿全体に認識処理がなされている場合より全体の処理時間を短縮することができる。
【００１５】
また低解像度の読み取りが設定されている場合は、バーコードなどからの情報を誤って読み取りすることが少なくなる。
さらに、全ての原稿を高解像度で読み込む場合よりデータ量が軽減されることにより、画像転送時の無駄な通信コストまたは通信時間を削減することができるという利点もある。
またバーコード等がある原稿の何処の位置、どれくらいの範囲にバーコードがあるか、さらにどこのバーコードにはどんな情報が格納されているか送信処理ごとに登録、保持しておくようにしているので、バーコードの情報を読み取るときは、この位置と範囲のみに認識処理するので、全体の処理時間は短くて済む。
【００１６】
また送信処理内容は、ＦＡＸ送信、電子メール送信、ＰＣフォルダへの転送であり、処理を行う際に、従来その送信ごとに設定しなければならなかった送信設定を、原稿から読み取った情報から送信設定を自動で画像読取装置が行うことにより、煩わしい送信設定を送信のたびに設定しなくて済み、誤設定による誤送信を防止することができる。
さらに、従来、送信先は送信ごとに設定しなければならないが、原稿から読み取った情報から送信先設定を自動で画像読取装置が行うことにより煩わしい送信先設定を送信のたびに設定しなくて済み、誤設定による誤送信を防止することができる。
【図面の簡単な説明】
【００１７】
【図１】本発明の実施の形態に係る画像読取装置の構成を示したブロック図。
【図２】本発明を採用する画像読取装置から画像データを送信する場合の処理フローチャート。
【符号の説明】
【００１８】
１０１  制御部、１０２  ＲＯＭ、１０３  ＲＡＭ、１０４  操作表示部、１０５  原稿サイズ検知手段、１０６  スキャンモータ駆動手段、１０７  画像読取手段、１０８  バス、１０９  メモリ制御手段、１１０  ビットマップメモリ、１１１  ＣＯＤＥＣ、１１２  画像メモリ、１１３  通信制御手段、１１４  ネットワークインターフェース
【図１】
2007295196.tif 000003
【図２】
2007295196.tif 000004